(57)【要約】【課題】  多量な接着剤や煩雑な接着剤塗布作業および接合作業を要せず、極めて容易に作製できると共に接合性に優れたダンボール積層体およびその製造方法を提供する。【解決手段】本発明のダンボール積層体１は、複数のダンボール板２が厚さ方向に積層されて形成されたダンボール積層部３と、ダンボール積層部３に設けられた貫通穴４と、貫通穴４に挿入されてダンボール積層部３の一体性を保持するための一体性保持部材５とを有し、一体性保持部材５は、ダンボール積層部３の表面３ａ側から挿入される第１挿入片６と、ダンボール積層部３の裏面３ｂ側から挿入される第２挿入片７と、第１挿入片６と第２挿入片７との間に設けられた連結片８，９，１０とを有し、第１挿入片６または第２挿入片７は第１係止片１１，第２係止片１２を有し、第１挿入片６および第２挿入片７が貫通穴４に挿入され第１係止片１１と第２係止片が係合してダンボール積層部３の一体性が保持されている。【選択図】図１
2013240958.tif 000002
【特許請求の範囲】
【請求項１】
複数のダンボール板が厚さ方向に積層されて形成されたダンボール積層部と、該ダンボール積層部に積層方向を貫通して設けられた貫通穴と、該貫通穴に挿入されて前記ダンボール積層部の一体性を保持するための一体性保持部材とを有し、該一体性保持部材は、前記ダンボール積層部の表面側から挿入される第１挿入片と、前記ダンボール積層部の裏面側から挿入される第２挿入片と、前記第１挿入片と前記第２挿入片との間に設けられた連結片とを有し、前記第１挿入片または前記第２挿入片はそれぞれ先端側が屈曲されて形成された第１係止片または第２係止片を有し、前記第１挿入片および前記第２挿入片が前記貫通穴に挿入され前記第１係止片と第２係止片とが係合して前記ダンボール積層部の一体性が保持されていることを特徴とするダンボール積層体。
【請求項２】
前記一体性保持部材はダンボール板にて形成されている請求項１に記載のダンボール積層体。
【請求項３】
前記一体性保持部材の前記連結片は、前記ダンボール積層部の側壁側に配される側壁側片と、前記ダンボール積層部の表面側に配される表面側片と、前記ダンボール積層部の裏面側に配される裏面側片とを有している請求項１または２に記載のダンボール積層体。
【請求項４】
前記ダンボール積層部の側壁は、前記一体性保持部材の前記側壁側片を嵌入させるための凹部を有している請求項３に記載のダンボール積層体。
【請求項５】
前記一体性保持部材は、前記側壁側片が前記ダンボール積層部の側壁の略全長に渡って延在するように構成され、前記第１挿入片および前記第２挿入片は前記側壁側片に延在方向に沿って複数組離間して形成されている請求項３または４に記載のダンボール積層体。
【請求項６】
前記ダンボール積層部の側壁は凸部を有し、前記一体性保持部材の前記側壁側片は、前記凸部を嵌入させるための凹部を有している請求項５に記載のダンボール積層体。
【請求項７】
前記ダンボール積層部は、一対の第１貫通穴および第２貫通穴を有し、前記一体性保持部材の前記連結片は、前記ダンボール積層部の表面側に配される表面側片と、該表面側片に連設された貫通片と、該貫通片に連設され前記ダンボール積層部の裏面側に配される裏面側片とを有し、前記第１挿入片は前記第１貫通穴に挿入され、他方、前記第２挿入片は前記第２貫通穴に挿入された後、前記第１貫通穴に挿入され、前記１挿入片の第１係止片と前記第２挿入片の第２係止片とが前記第１貫通穴内で係合して前記ダンボール積層部の一体性が保持されている請求１または２に記載のダンボール積層体。
【請求項８】
複数のダンボール板を厚さ方向に積層してダンボール積層部を形成する工程と、該ダンボール積層部を積層方向に貫通する貫通穴を形成する工程と、前記ダンボール積層部の表面側から挿入される第１挿入片と、前記ダンボール積層部の裏面側から挿入される第２挿入片と、前記第１挿入片と前記第２挿入片との間に設けられた連結片とを有し、前記第１挿入片または前記第２挿入片はそれぞれ先端側が屈曲されて形成され第１係止片または第２係止片を備え、前記ダンボール積層部の一体性を保持するための一体性保持部材を形成する工程と、該一体性保持部材の前記第１挿入片および前記第２挿入片を前記貫通穴に挿入し、前記第１係止片と第２係止片とを係合させて前記ダンボール積層部の一体性を保持させる工程を有することを特徴するダンボール積層体の製造方法。
【発明の詳細な説明】
【技術分野】
【０００１】
本発明は、例えば、梱包材、ダンボールパレットまたは建材などに使用して好適なダンボール積層体およびその製造方法に関するものである。
【背景技術】
【０００２】
ダンボールは適度な圧縮強度を有し、軽量性、低廉性、断熱性、加工容易性、施工容易性、遮音性またはリサイクル性等に優れていることから、板材としての使用のみならず、厚さ方向に積層して積層体としても多用されている。
【先行技術文献】
【特許文献】
【０００３】
【特許文献１】特開２００１−３３６２４８号公報
【特許文献２】特願２０１１−１９５５２６号
【発明の概要】
【発明が解決しようとする課題】
【０００４】
しかし、従来のダンボール積層体は、ダンボール板同士を接着剤で貼り合わせているため、多量の接着剤を要すると共に煩雑な接着剤塗布作業および接合作業を要しコスト高の要因となっていた。
【０００５】
本願発明者らは、上記問題点を解消するものとして、先に特願２０１１−１９５５２６号のダンボール積層体およびその製造方法を提案した。これらの発明も上記問題点を解消するものとして極めてあるが、さらに鋭意研究した結果、作業性および接合性に優れた本発明を想起し完成するに至った。
【０００６】
すなわち、本発明の課題は、多量な接着剤や煩雑な接着剤塗布作業および接合作業を要せず、極めて容易に作製でき作業性に優れると共に接合性に優れたダンボール積層体およびその製造方法を提供することにある。
【０００７】
上記課題を解決するものは、複数のダンボール板が厚さ方向に積層されて形成されたダンボール積層部と、該ダンボール積層部に積層方向を貫通して設けられた貫通穴と、該貫通穴に挿入されて前記ダンボール積層部の一体性を保持するための一体性保持部材とを有し、該一体性保持部材は、前記ダンボール積層部の表面側から挿入される第１挿入片と、前記ダンボール積層部の裏面側から挿入される第２挿入片と、前記第１挿入片と前記第２挿入片との間に設けられた連結片とを有し、前記第１挿入片または前記第２挿入片はそれぞれ先端側が屈曲されて形成された第１係止片または第２係止片を有し、前記第１挿入片および前記第２挿入片が前記貫通穴に挿入され前記第１係止片または第２係止片とが係合して前記ダンボール積層部の一体性が保持されていることを特徴とするダンボール積層体である。
【０００８】
前記一体性保持部材はダンボール板にて形成されていることが好ましい。前記一体性保持部材の前記連結片は、前記ダンボール積層部の側壁側に配される側壁側片と、前記ダンボール積層部の表面側に配される表面側片と、前記ダンボール積層部の裏面側に配される裏面側片とを有していることが好ましい。前記ダンボール積層部の側壁は、前記一体性保持部材の前記側壁側片を嵌入させるための凹部を有していることが好ましい。前記一体性保持部材は、前記側壁側片が前記ダンボール積層部の側壁の略全長に渡って延在するように構成され、前記第１挿入片および前記第２挿入片は前記側壁側片の延在方向に沿って複数組離間して形成されていることが好ましい。前記ダンボール積層部の側壁は凸部を有し、前記一体性保持部材の前記側壁側片は、前記凸部を嵌入させるための凹部を有していることが好ましい。
【０００９】
前記ダンボール積層部は、一対の第１貫通穴および第２貫通穴を有し、前記一体性保持部材の前記連結片は、前記ダンボール積層部の表面側に配される表面側片と、該表面側片に連設された貫通片と、該貫通片に連設され前記ダンボール積層部の裏面側に配される裏面側片とを有し、前記第１挿入片は前記第１貫通穴に挿入され、他方、前記第２挿入片は前記第２貫通穴に挿入された後、前記第１貫通穴に挿入され、前記１挿入片の第１係止片と前記第２挿入片の第２係止片とが前記第１貫通穴内で係合して前記ダンボール積層部の一体性が保持されていてもよい。
【００１０】
また、上記課題を解決するものは、複数のダンボール板を厚さ方向に積層してダンボール積層部を形成する工程と、該ダンボール積層部を積層方向に貫通する貫通穴を形成する工程と、前記ダンボール積層部の表面側から挿入される第１挿入片と、前記ダンボール積層部の裏面側から挿入される第２挿入片と、前記第１挿入片と前記第２挿入片との間に設けられた連結片とを有し、前記第１挿入片または前記第２挿入片はそれぞれ先端側が屈曲されて形成された第１係止片または第２係止片を備え、前記ダンボール積層部の一体性を保持するための一体性保持部材を形成する工程と、該一体性保持部材の前記第１挿入片および前記第２挿入片を前記貫通穴に挿入し、前記第１係止片と第２係止片とを係合させて前記ダンボール積層部の一体性を保持させる工程を有することを特徴するダンボール積層体の製造方法である。
【発明の効果】
【００１１】
請求項１に記載した発明によれば、多量な接着剤や煩雑な接着剤塗布作業および接合作業を要せず、極めて容易に作製でき作業性に優れると共に接合性に優れたダンボール積層体となる。
請求項２に記載した発明によれば、より低廉かつ強固に上記請求項１の効果を奏するダンボール積層体を作製できる。
請求項３に記載した発明によれば、上記請求項１または２の効果に加え、ダンボール積層部の端部である側壁側より複数のダンボール板を束ねることができ、より一体保持性の高いダンボール積層体となる。
請求項４に記載した発明によれば、上記請求項１ないし３の効果に加え、一体性保持部材がダンボール積層部に対してずれることがなくより確実に一体性を保持できると共に、側壁の外方に一体性保持部材の厚み分突出することもないダンボール積層体となる。
請求項５に記載した発明によれば、一体性保持部材にてダンボール積層部の側壁の略全長に渡ってダンボール板を束ねることができ、より一体保持性の高いダンボール積層体となる。
請求項６に記載した発明によれば、一体性保持部材がダンボール積層部に対してずれることがなくより確実に一体性を保持できると共に、側壁の外方に一体性保持部材の厚み分突出することもないダンボール積層体となる。
請求項７に記載した発明によれば、ダンボール積層部の必要な位置で一体性保持部材を使用することができ、より一体保持性の高いダンボール積層体となる。
請求項８に記載した発明によれば、多量な接着剤や煩雑な接着剤塗布作業および接合作業を要せず、極めて容易に作製でき作業性に優れると共に接合性に優れたダンボール積層体を作製できる。
【図面の簡単な説明】
【００１２】
【図１】本発明のダンボール積層体の一実施例の部分断面図である。
【図２】図１に示したダンボール積層体の製造方法を説明するための部分断面図である。
【図３】図１に示したダンボール積層体の製造方法を説明するための部分斜視図である。
【図４】図１に示したダンボール積層体の製造方法を説明するための部分斜視図である。
【図５】図１に示したダンボール積層体の平面図（Ａ）、右側面図（Ｂ）および正面図（Ｃ）である。
【図６】本発明のダンボール積層体の他の実施例の部分斜視図である。
【図７】図６に示したダンボール積層体の製造方法を説明するための部分斜視図である。
【図８】図６に示したダンボール積層体の平面図（Ａ）、右側面図（Ｂ）および正面図（Ｃ）である。
【図９】本発明のダンボール積層体の他の実施例の部分斜視図である。
【図１０】図９に示したダンボール積層体の製造方法を説明するための部分斜視図である。
【図１１】図９に示したダンボール積層体の平面図（Ａ）、右側面図（Ｂ）および正面図（Ｃ）である。
【図１２】本発明のダンボール積層体の他の実施例の部分斜視図である。
【図１３】図１２に示したダンボール積層体の製造方法を説明するための部分斜視図である。
【図１４】図１２に示したダンボール積層体の平面図（Ａ）および右側面図（Ｂ）である。
【図１５】本発明のダンボール積層体の他の実施例の部分斜視図である。
【発明を実施するための形態】
【００１３】
本発明では、第１挿入片６および第２挿入片７を貫通穴４に挿入するだけで第１係止片１１と第２係止片１２とが自然と係合してダンボール積層部３の一体性が保持されることで、多量な接着剤や煩雑な接着剤塗布作業および接合作業を要せず、極めて容易に作製でき作業性に優れると共に接合性に優れたダンボール積層体１およびその製造方法を実現した。
【実施例１】
【００１４】
本発明のダンボール積層体１を図１ないし図５に示した一実施例を用いて説明する。
この実施例のダンボール積層体１は、図１に示すように、複数のダンボール板２が厚さ方向に積層されて形成されたダンボール積層部３と、ダンボール積層部３に積層方向を貫通して設けられた貫通穴４と、貫通穴４に挿入されてダンボール積層部３の一体性を保持するための一体性保持部材５とを有し、一体性保持部材５は、ダンボール積層部３の表面３ａ側から挿入される第１挿入片６と、ダンボール積層部３の裏面３ｂ側から挿入される第２挿入片７と、第１挿入片６と第２挿入片７との間に設けられた連結片８，９，１０とを有し、第１挿入片６または第２挿入片７はそれぞれ先端側が屈曲されて形成された第１係止片１１，第２係止片１２を有し、第１挿入片６および第２挿入片７が貫通穴４に挿入され第１係止片１１，第２係止片１２同士が係合してダンボール積層部３の一体性が保持されている。以下、各構成について順次詳述する。
【００１５】
この実施例のダンボール積層体１は、樹脂製、金属製または紙製のフィルムやシート等の帯状体を中空芯に巻回したロール製品を輸送・保管する場合などに使用される梱包材である。
【００１６】
ただし、本発明のダンボール積層体は梱包材に限定されるものでなく、例えばダンボールパレットまたは建材など、ダンボール板を積層したものを広く包含するものである。
【００１７】
ダンボール積層部３は、複数のダンボール板２が厚さ方向に積層されて形成されたものであり、この実施例のダンボール積層部３は、図５に示すように、同一寸法で矩形の紙製ダンボール板２が４枚厚さ方向に積層されて形成されている。
【００１８】
ただし、本願でいうダンボール板は、紙製ダンボール板に限定されるものではなく、プラスチックダンボール板、耐水ダンボール板等の各種ダンボール板を広く含む概念である。また、本発明のダンボール積層部には、複数種のダンボール板を組み合わせたもの、あるいは一部にダンボール板以外の例えば木質系、樹脂系、金属製、紙製、発泡体等の板状体を有するものなども広く包含される。さらに、この実施例のダンボール積層部３は、４枚のダンボール板２から形成されているが、積層枚数は２以上であれば何枚でもよい。さらに、ダンボール積層部３の平面視の形状は矩形に限定されず、どのような平面形状のものも広く包含される。
【００１９】
貫通穴４は、一体性保持部材５の第１挿入片６または第２挿入片７を挿入するための部位であり、ダンボール積層部３に積層方向を貫通して設けられている。
【００２０】
この実施例の貫通穴４は、図５（Ａ）の平面図に示すように、両端辺部に離間してそれぞれ４ケ計８ケ設けられており、これら８ケの貫通穴４付近に一体性保持部材５がそれぞれ装着されてダンボール積層部３の積層状態が保持されるよう構成されている。
【００２１】
貫通穴４の横幅は、挿入される一体性保持部材５の第１挿入片６または第２挿入片７の横幅（この実施例では一体性保持部材５の横幅と同一）と略同一かそれより若干大きく構成されており、縦幅は、図１に示すように、挿入される一体性保持部材５の第１挿入片６または第２挿入片７の厚みの３倍（この実施例では一体性保持部材５の厚みの３倍と同一）と略同一かそれより若干大きく構成されている。
【００２２】
一体性保持部材５は、ダンボール積層部３の一体性を保持するための部材であり、この実施例ではダンボール積層部３を形成する紙ダンボール板２と同様の紙ダンボール板にて形成されている。
【００２３】
ただし、一体性保持部材５の形成材料としては紙ダンボール板に限定されるものではなく、プラスチックダンボール板、耐水ダンボール板等の各種ダンボール板であってもよく、例えば紙製または樹脂製の板状体などであってもよい。
【００２４】
一体性保持部材５は、図１ないし図３に示すように、ダンボール積層部３の表面３ａ側から挿入される第１挿入片６と、ダンボール積層部３の裏面３ｂ側から挿入される第２挿入片７と、第１挿入片６と第２挿入片７との間に設けられた連結片８，９，１０とを有している。
【００２５】
第１挿入片６はダンボール積層部３の裏面３ｂ側から挿入される第２挿入片７と貫通穴４内で係合させるための部位であり、図２に示すように、ダンボール積層部３の表面３ａ側から挿入される。
【００２６】
他方、第２挿入片７は、ダンボール積層部３の表面３ａ側から挿入される第１挿入片６と貫通穴４内で係合させるための部位であり、図２に示すように、ダンボール積層部３の裏面３ｂ側から挿入される。
【００２７】
連結片８，９，１０は、第１挿入片６と第２挿入片７との間に設けられ両者を連結するための部位である。具体的には、この実施例の連結片８は、第１挿入片６に連設されダンボール積層部３の表面３ａ側に配される表面側片８であり、連結片９は、第２挿入片７に連設されダンボール積層部３の裏面３ｂ側に配される裏面側片９であり、連結片１０は一端側で表面側片８に連設され他端側で裏面側片９に連設されダンボール積層部３の側壁側に配される側壁側片１０である。
【００２８】
一体性保持部材５がこのような表面側片８と裏面側片９と側壁側片１０とを有した連結片を備えることにより、図５（Ｂ）の右側面図および図５（Ｃ）の正面図に示すように、ダンボール積層部３の端部である側壁側より複数のダンボール板を束ねることができ、より一体保持性の高いダンボール積層体１を構成できる。
【００２９】
また、この実施例の裏面側片９は、図１に示すように、表面側片８より一体性保持部材５の厚みの略２倍分長く形成されている。これにより、裏面側片９より短い表面側片８に連設けられた第１挿入片６が貫通穴４内で側壁側に配されるように構成されている。
【００３０】
さらに、図１に示すように、第１挿入片６は先端側に、第１挿入片６との境界で外側（谷折り）に略１８０゜屈曲可能に形成された第１係止片１１を有し、第２挿入片７は先端側に、第２挿入片７との境界で内側（山折り）に略１８０゜屈曲可能に形成された第２係止片１２を有している
【００３１】
そして、第１挿入片６または第２挿入片７は、図２または図３に示すように、第１挿入片６がダンボール積層部３の表面３ａ側から挿入され、他方、第２挿入片７がダンボール積層部３の裏面３ａ側から挿入されると、図１または図４に示すように、第１挿入片６との境界で外側（谷折り）に略１８０゜屈曲した第１係止片１１の先端面と、第２挿入片７との境界で内側（山折り）に略１８０゜屈曲した第２係止片１２の先端面とが貫通穴４内で当接して係合するため、図１に示すように、一体性保持部材５がダンボール積層部３を環状に取り巻くことで一体性が保持されるよう構成されている。
【００３２】
このように、本発明では、第１挿入片６および第２挿入片７を貫通穴４に挿入するだけで第１係止片１１と第２係止片１２とが自然に係合してダンボール積層部３の一体性が保持されるため、多量な接着剤や煩雑な接着剤塗布作業および接合作業を要せず、極めて容易に作製でき作業性に優れると共に接合性に優れたダンボール積層体１を構成できる。
【００３３】
なお、この実施例では、第１係止片１１の先端面と第２係止片１２の先端面とが当接して係合しているが、本発明における第１係止片１１と第２係止片１２との係合は、これに限定されるものではなく、例えば第１挿入片６と第１係止片１１との間隙に第２係止片１２が侵入し、第２挿入片７と第２係止片１２との間隙に第１係止片１１が侵入して係合するなど、容易に抜けないようにロックされ係合するものは広く本発明の範疇に包含される。
【００３４】
つぎに、本発明のダンボール積層体の製造方法をダンボール積層体１の製造方法を例に説明する。
ダンボール積層体１は、複数のダンボール板２を厚さ方向に積層してダンボール積層部３を形成する工程と、ダンボール積層部３を積層方向に貫通する貫通穴４を形成する工程と、ダンボール積層部３の表面３ａ側から挿入される第１挿入片６と、ダンボール積層部３の裏面３ｂ側から挿入される第２挿入片７と、第１挿入片６と第２挿入片７との間に設けられた連結片８，９，１０とを有し、第１挿入片６または第２挿入片７はそれぞれ先端側が屈曲されて形成された第１係止片１１または第２係止片１２を備え、ダンボール積層部３の一体性を保持するための一体性保持部材５を形成する工程と、一体性保持部材５の第１挿入片６および第２挿入片７を貫通穴４に挿入し、第１係止片１１と第２係止片１２とを係合させてダンボール積層部３の一体性を保持させる工程を有している。以下、各工程について順次詳述する。
【００３５】
複数のダンボール板２を厚さ方向に積層してダンボール積層部３を形成する工程は、ダンボール板２を所望の形状（この実施例では図５（Ａ）に示すような平面視矩形）に成形する工程と、成形した複数枚のダンボール板２を積載等して重ね合わせる工程を有し、成形工程は、ダンボール板２をトムソン加工などにより切断加工することにより行われる。
【００３６】
ダンボール積層部３を積層方向に貫通する貫通穴４を形成する工程は、上記成形工程と同時に、積層する各ダンボール板２に、端部を揃えて積層した場合に貫通穴４が形成されるよう、対応する同一部位に同一形状の穴を切断加工することにより行われる。
【００３７】
ダンボール積層部３の表面３ａ側から挿入される第１挿入片６と、ダンボール積層部３の裏面３ｂ側から挿入される第２挿入片７と、第１挿入片６と第２挿入片７との間に設けられた連結片８，９，１０とを有し、第１挿入片６または第２挿入片７はそれぞれ先端側が屈曲されて形成された第１係止片１１または第２係止片１２を備え、ダンボール積層部３の一体性を保持するための一体性保持部材５を形成する工程は、ダンボール板をトムソン加工などにより所要の形態（平面視帯状体）に切断加工すると共に、各部の境界を屈曲加工することにより行われる。
【００３８】
具体的には、上記屈曲加工は、第１係止片１１と第１挿入片６との境界を外側（谷折り）に略１８０゜屈曲可能に屈曲させると共に、第２係止片１２と第２挿入片７との境界を内側（山折り）に略１８０゜屈曲可能に屈曲させることにより行われる。さらに、第１挿入片６と表面側片８との境界、表面側片８と側面側片１０との境界、側面側片１０と裏面側片９との境界、および裏面側片９と第２挿入片７との境界を、それぞれ内側（山折り）に略９０゜屈曲可能に屈曲させることにより行われる。
【００３９】
一体性保持部材５の第１挿入片６および第２挿入片７を貫通穴４に挿入し、第１係止片１１と第２係止片１２とを係合させてダンボール積層部３の一体性を保持させる工程は、図２または図３に示すように、第１挿入片６をダンボール積層部３の表面３ａ側から挿入し、他方、第２挿入片７をダンボール積層部３の裏面３ａ側から挿入して行われる。
【００４０】
このようなダンボール積層部３の表裏からの挿入のみで、図１または図４に示すように、第１挿入片６の第１係止片１１の先端面と、第２挿入片７の第２係止片１２の先端面とが貫通穴４内で当接して係合するため、図１に示すように、一体性保持部材５がダンボール積層部３を環状に取り巻いて一体性が保持される。
【００４１】
以上のように、本発明のダンボール積層体１の製造方法では、第１挿入片６および第２挿入片７が貫通穴４に挿入され第１係止片１１と第２係止片１２とが係合してダンボール積層部３の一体性が保持されることで、多量な接着剤や煩雑な接着剤塗布作業および接合作業を要せず、極めて容易に作製でき作業性に優れると共に接合性に優れたダンボール積層体１が作製できる。
【００４２】
さらに、本発明のダンボール積層体の他の実施例について順次説明するが、まず、図６ないし図８に示したダンボール積層体２０について説明する。
ダンボール積層体２０と前述したダンボール積層体１との相違は、ダンボール積層部の側壁が、一体性保持部材の側壁側片を嵌入させるための凹部を有している点であり他の同様である。ダンボール積層体１と同一構成部分については同一符号を付し説明を省略する。
【００４３】
具体的には、ダンボール積層体２０は、図６ないし図８に示すように、ダンボール積層部３の側壁３ｃが、一体性保持部材５の側壁側片１０を嵌入させるための凹部２１を有しており、側壁側片１０が凹部２１内に位置しているため、一体性保持部材５がダンボール積層部３に対してずれることがなくより確実に一体性を保持できると共に、側壁の外方に一体性保持部材５の厚み分突出することがないダンボール積層体を構成できる。
【００４４】
つぎに、図９ないし図１１に示したダンボール積層体３０について説明する。
ダンボール積層体３０と前述したダンボール積層体１との相違は、一体性保持部材の側壁側片がダンボール積層部の側壁の略全長に渡って延在するように構成され、第１挿入片および第２挿入片が側壁側片の延在方向に沿って複数組離間して形成されている点であり他の同様である。ダンボール積層体１と同一構成部分については同一符号を付し説明を省略する。
【００４５】
具体的には、ダンボール積層体３０は、図９ないし図１１に示すように、一体性保持部材３１の側壁側片３２と表面側片３３と裏面側片３４がダンボール積層部３の側壁３ｃの略全長に渡って延在するように構成され、第１挿入片３５および第２挿入片３６が側壁側片３２の延在方向に沿って複数組離間して形成されている。これにより、一体性保持部材３１にてダンボール積層部３の側壁３ｃの略全長に渡ってダンボール板２を束ねることができ、より一体保持性の高いダンボール積層体を構成できる。
【００４６】
なお、この実施例の一体性保持部材３１は、側壁側片３２の他に表面側片３３と裏面側片３４もダンボール積層部３の側壁３ｃの略全長に渡って延在するように構成されているが、表面側片と裏面側片は、第１挿入片３５および第２挿入片３６のように、ダンボール積層部の側壁の略全長に渡って延在するように構成された側壁側片の延在方向に沿って複数組離間して形成されたものも本発明の範疇に包含される。また、貫通穴もダンボール積層部の側壁の略全長に渡って長尺状に形成されており、一体性保持部材の側壁側片と表面側片と裏面側片と第１挿入片と第２挿入片が、ダンボール積層部の側壁の略全長に渡って延在するように構成されたものも本発明の範疇に包含される。
【００４７】
さらに、図１２ないし図１４に示したダンボール積層体４０について説明する。
ダンボール積層体４０と前述したダンボール積層体３０との相違は、ダンボール積層部の側壁が凸部を有し、一体性保持部材の側壁側片が凸部を嵌入させるための凹部を有している点であり他の同様である。ダンボール積層体３０と同一構成部分については同一符号を付し説明を省略する。
【００４８】
具体的には、ダンボール積層体４０は、ダンボール積層部３の側壁３ｃが凸部４１を有し、一体性保持部材３１の側壁側片３２が凸部４１を嵌入させるための凹部４２を有している。これにより、図１２に示すように、側壁側片３２の凹部４１内にダンボール積層部３の側壁３ｃの凸部４１が嵌入するため、一体性保持部材３１がダンボール積層部３に対してずれることがなくより確実に一体性を保持できると共に、側壁３ｃの外方に一体性保持部材３１の厚み分突出することがないダンボール積層体を構成できる。
【００４９】
さらに、図１５に示したダンボール積層体５０について説明する。
ダンボール積層体５０と前述したダンボール積層体１との相違は、ダンボール積層部が一対の第１貫通穴および第２貫通穴を有し、一体性保持部材の連結片が、ダンボール積層部の表面側に配される表面側片と、表面側片に連設された貫通片と、貫通片に連設されダンボール積層部の裏面側に配される裏面側片とを有し、第１挿入片は第１貫通穴に挿入され、他方、第２挿入片は第２貫通穴に挿入された後、第１貫通穴に挿入され、１挿入片の第１係止片と第２挿入片の第２係止片とが第１貫通穴内で係合してダンボール積層部の一体性が保持されている点であり他の同様である。ダンボール積層体１と同一構成部分については同一符号を付し説明を省略する。
【００５０】
具体的には、ダンボール積層体５０は、図１５に示すように、ダンボール積層部３が一対の第１貫通穴５１および第２貫通穴５２を有し、一体性保持部材５３の連結片が、ダンボール積層部３の表面３ａ側に配される表面側片５４と、表面側片５４に連設された貫通片５５と、貫通片５５に連設されダンボール積層部３の裏面３ｂ側に配される裏面側片５６とを有している。
【００５１】
そして、一体性保持部材５３によりダンボール積層部３の一体性を保持する際には、第１挿入片６を第１貫通穴５１に挿入する。他方、第２挿入片７は第２貫通穴５２に挿入した後、裏面３ｂ側から第１貫通穴５１に挿入する。これにより、第１挿入片６の係止片１１と第２挿入片７の係止片１２とが第１貫通穴５１内で係合してダンボール積層部３の一体性が保持される。
【００５２】
このように、一体性保持部材５３によれば、ダンボール積層部の必要な位置で一体性保持部材を使用することができ、より一体保持性の高いダンボール積層体を作製できる。本発明のダンボール積層体には、一体性保持部材５３のように側壁側片を有しないものが使用され、ダンボール積層部の内部で一体性が保持されるものも広く包含される。
【符号の説明】
【００５３】
１            ダンボール積層体
２            ダンボール板
３            ダンボール積層部
４            貫通穴
５            一体性保持部材
６            第１挿入片
７            第２挿入片
８            連結片（表面側片）
９            連結片（側壁側片）
１０          連結片（裏面側片）
１１          第１係止片
１２          第２係止片
【図１】
2013240958.tif 000003
【図３】
2013240958.tif 000004
【図４】
2013240958.tif 000005
【図５】
2013240958.tif 000006
【図６】
2013240958.tif 000007
【図７】
2013240958.tif 000008
【図８】
2013240958.tif 000009
【図９】
2013240958.tif 000010
【図１０】
2013240958.tif 000011
【図１１】
2013240958.tif 000012
【図１２】
2013240958.tif 000013
【図１３】
2013240958.tif 000014
【図１４】
2013240958.tif 000015
【図１５】
2013240958.tif 000016
【図２】
2013240958.tif 000017